(57)【要約】【課題】  優れた風圧低減効果を得ることができる絶縁電線を提供する。【解決手段】  導体２の上に絶縁体よりなる被覆層３を有する絶縁電線１において、電線外周の一部を山形に突出させた突出部４を形成し、該突出部４と該突出部４以外の部分５とが段差なく連続するように電線外周面１ａを形成した。さらに、前記突出部４を、電線長手方向に螺旋状に形成することで、難着雪効果をも有する。【選択図】  図１
2006127930.tif 000002
【特許請求の範囲】
【請求項１】
導体の上に絶縁体よりなる被覆層を有する絶縁電線において、
電線外周の一部を山形に突出させた突出部を形成し、該突出部と該突出部以外の部分とが段差なく連続するように電線外周面を形成したことを特徴とする絶縁電線。
【請求項２】
前記突出部を、電線長手方向に螺旋状に形成したことを特徴とする請求項１に記載の絶縁電線。
【請求項３】
前記導体の位置を、電線幅方向の中心よりも前記突出部と反対側の方へ偏心させたことを特徴とする請求項１または２に記載の絶縁電線。
【発明の詳細な説明】
【技術分野】
【０００１】
本発明は、導体の上に絶縁体よりなる被覆層を有する絶縁電線において、特に風圧の低減を図ることのできる絶縁電線に関する。
【背景技術】
【０００２】
屋外等に架空布設された絶縁電線に風が当たると、絶縁電線の風下側にカルマン渦が発生し、渦発生部分の気圧が低くなるため、風上側との気圧差によって大きな風圧が発生する。したがって、強風が吹いたような場合には、このようなカルマン渦によって発生する風圧により、断線や電柱などの電線支持体の倒壊などといった被害をもたらすおそれがある。
【０００３】
従来、このようなカルマン渦の発生を抑制して風圧の低減を図るための電線として、例えば特許文献１には、外周に凹凸を設けた電線が開示されている。かかる特許文献１に記載の電線によれば、外周に設けられた凹凸によって、電線表面を流れる風の流れに乱れを生じさせ、カルマン渦の減少を図ろうとしている。
【特許文献１】特開２００１−１１８４３４号公報
【発明の開示】
【発明が解決しようとする課題】
【０００４】
しかしながら、上記のように外周に凹凸を設けた電線によれば、電線外周面が平滑な電線に比べればカルマン渦の発生を減少させることができるが、減少の程度が十分ではなく、満足のいく風圧低減効果を得ることができないおそれがある。また、凹部に雨滴や埃が進入して堆積し、凹部が埋められてしまって電線外周面が平滑となり、初期の効果を得ることができなくなるおそれがある。
【０００５】
また、絶縁電線が屋外に架空布設される場合、降雪によって電線表面に雪が付着し、電線表面において着雪が成長して雪の重みで断線等の被害が生じるおそれもある。しかしながら、上記特許文献１に記載の電線では、風圧の低減はできても、難着雪効果を得ることはできず、雪の重みによって断線等の被害が生じるおそれがある。
【０００６】
本発明の目的は、優れた風圧低減効果を得ることができる絶縁電線を提供することにある。
【０００７】
本発明の他の目的は、風圧低減効果が優れるとともに、難着雪効果をも得ることができる絶縁電線を提供することにある。
【課題を解決するための手段】
【０００８】
上記課題を解決するために、請求項１に記載の絶縁電線は、導体の上に絶縁体よりなる被覆層を有する絶縁電線において、電線外周の一部を山形に突出させた突出部を形成し、該突出部と該突出部以外の部分とが段差なく連続するように電線外周面を形成したことを特徴とする。
【０００９】
このような請求項１に記載の発明では、電線外周の一部を山形に突出させた突出部を有し、該突出部と突出部以外の部分とが段差なく連続するように電線外周面が形成されているので、電線表面を山形の突出部の突出方向へと流れる空気の流れがスムーズなものとなり、カルマン渦の発生が抑制され風の抵抗を低減させることができる。
【００１０】
請求項２に記載の絶縁電線は、請求項１に記載の前記突出部を、電線長手方向に螺旋状に形成したことを特徴とする。
【００１１】
このような請求項２に記載の発明では、電線外周には、電線長手方向に螺旋状に突出部が形成されているので、降雪時、電線表面に一旦付着した雪が落下しやすく、電線外周上において着雪が成長することが防止される。
【００１２】
請求項３に記載の絶縁電線は、請求項１または２に記載の前記導体の位置を、電線幅方向の中心よりも前記突出部と反対側の方へ偏心させたことを特徴とする。
【００１３】
このような請求項３に記載の発明では、前記導体の位置が電線幅方向の中心よりも前記突出部と反対側の方へ偏心している絶縁電線の電線表面を、前記山形の突出部の突出方向へと流れる空気の流れがスムーズなものとなり、カルマン渦の発生が抑制され風の抵抗を低減させることができる。
【発明の効果】
【００１４】
請求項１，３に記載の発明によれば、電線表面を流れる空気の流れがスムーズなものとなって風の抵抗を低減させることができ、風圧低減効果の優れた絶縁電線を得ることができる。また、従来のように電線表面に凹凸を設けることにより風圧低減効果をねらったものではないことから、従来問題となっていた凹部が埋まって風圧低減効果が得られなくなるおそれがあるといったことがなく、安定して風圧低減効果を維持することができる。
【００１５】
請求項２に記載の発明によれば、電線外周に電線長手方向に螺旋状に形成された突出部により着雪の成長を防止することができ、風圧低減効果のみならず、難着雪効果をも得ることができる。
【発明を実施するための最良の形態】
【００１６】
以下、図面を参照して本発明を実施するための最良の形態の一例について説明する。 
図１は本発明に係る絶縁電線の実施の形態の一例を示す図であり、（Ａ）は断面図、（Ｂ）は斜視図、図２は図１に示す絶縁電線における空気の流れの様子を示す図である。
【００１７】
図において、本例の絶縁電線１は、軟銅線などの素線を複数本撚り合わせて構成される導体２の上に絶縁体を被覆して被覆層３を形成することにより構成されている。
【００１８】
被覆層３は、電線外周の一部を山形（先細り形状）に突出させて形成した突出部４を有しており、被覆層３は、この突出部４の部分において肉厚となっている。かかる突出部４は、断面外形形状が放物線を描くように形成されている。電線外周面１ａは、突出部４と、電線外周における突出部４以外の部分である半円形状の円弧部５とが、段差なく連続するように平滑に形成されている。このようにして形成された被覆層３は、断面形状が略卵形となっており、また、電線外周面１ａは、流線形となっている。そして、このような被覆層３で被覆された前記導体２の位置は、電線幅方向の中心よりも前記突出部４と反対側の方へ偏心している。 
前記突出部４の説明に戻ると、この突出部４は、電線長手方向に螺旋状に形成されている。
【００１９】
次に、このように構成された本例の絶縁電線１における作用について説明する。 
本例の絶縁電線１においては、電線外周の一部を山形に突出させた突出部４を有し、この突出部４と円弧部５とが段差なく連続するように電線外周面１ａが形成されているので、図２に示すように、電線表面を突出部４の突出方向へと流れる空気の流れがスムーズなものとなり、カルマン渦の発生が抑制され風の抵抗を低減させることができる。
【００２０】
また、本例の絶縁電線１においては、電線外周には、電線長手方向に螺旋状に突出部４が形成されているので、電線表面に一旦付着した雪が落下しやすく、電線外周上において着雪が成長することが防止される。
【００２１】
以上のことから、本例の絶縁電線１によれば、優れた風圧低減効果を有するとともに、難着雪効果をも得ることができる。また、従来のように電線表面に凹凸を設けることにより風圧低減効果をねらったものではないことから、従来問題となっていた凹部が埋まって風圧低減効果が得られなくなるおそれがあるといったことがなく、安定して風圧低減効果を維持することができる。
【００２２】
また、このような風圧低減効果と難着雪効果とを同時に得ることができる形状は、被覆層３の形成時、導体２上に絶縁体を押出被覆するときに形成することができる。したがって、風圧低減効果と難着雪効果とを同時に有する本例の絶縁電線１を容易に製造することができる。
【００２３】
以上説明した本例の絶縁電線１では、突出部４の頂部は、丸く形成されているが、図３に示すように尖った形状に形成してもよい。このような形状であっても、上記と同様の効果を得ることができる。
【００２４】
さらに、風圧低減効果だけを有すればよい場合には、突出部４は、螺旋状に形成されていなくてもよく、電線長手方向に沿って直線状に形成されていてもよい。
【００２５】
また、上記実施の形態の説明においては、導体２の上に被覆層３のみを有する絶縁電線１を例にして説明したが、本発明の絶縁電線はこのような構成に限られるものではなく、例えば、導体の上に被覆層として絶縁層を有し、さらに絶縁層の上に被覆層としてシースを有するケーブルであってもよい。
【図面の簡単な説明】
【００２６】
【図１】本発明に係る絶縁電線の実施の形態の一例を示す図であり、（Ａ）は断面図、（Ｂ）は斜視図である。
【図２】図１に示す絶縁電線における空気の流れの様子を示す図である。
【図３】図１に示す絶縁電線の変形例を示す図である。
【符号の説明】
【００２７】
１    絶縁電線
１ａ    電線外周面
２    導体
３    被覆層
４    突出部
５    円弧部
【図１】
2006127930.tif 000003
【図２】
2006127930.tif 000004
【図３】
2006127930.tif 000005